(57)【特許請求の範囲】
【請求項１】
生産者が操作する第１の通信端末と、利用者が操作する第２の通信端末と、サーバとを有する通信システムにおいて、
前記サーバは、前記第１の通信端末が所定の情報を公開するためのエリアを該第１の通信端末へ提供し、該エリアへ前記第１の通信端末がアクセスした際、前記第１の通信端末と前記第２の通信端末との間の売買契約の状態に応じたポイント数のポイントを前記第２の通信端末へ付与し、
前記第２の通信端末は、前記サーバから付与されたポイントを用いて、該サーバが提供するサービスを取得することを特徴とする通信システム。
【請求項２】
請求項１に記載の通信システムにおいて、
前記サーバは、前記売買契約がある場合、前記売買契約がない場合に前記第２の通信端末へ付与するポイント数よりも多いポイント数を前記第２の通信端末へ付与することを特徴とする通信システム。
【請求項３】
請求項１または請求項２に記載の通信システムにおいて、
前記サーバは、前記第１の通信端末を識別可能な第１の通信端末識別情報と、前記第２の通信端末を識別可能な第２の通信端末識別情報と、該第１の通信端末と該第２の通信端末との間の前記売買契約の状態を示す売買契約状態とを対応付けて記憶するデータベースを有し、前記エリアへ前記第１の通信端末がアクセスした際、該アクセスしてきた第１の通信端末の前記第１の通信端末識別情報と対応付けられている前記第２の通信端末識別情報を前記データベースから検索し、検索された第２の通信端末識別情報の第２の通信端末へ、該検索された第２の通信端末識別情報と対応付けられている前記売買契約状態に応じたポイント数のポイントを付与することを特徴とする通信システム。
【請求項４】
請求項１乃至３のいずれか１項に記載の通信システムにおいて、
前記サーバは、前記売買契約によって前記第１の通信端末が取得する販売金額情報が示す金額の少なくとも一部の金額を示す金額情報を取得することを特徴とする通信システム。
【請求項５】
生産者が操作する第１の通信端末および利用者が操作する第２の通信端末と通信可能なサーバであって、
前記第１の通信端末が所定の情報を公開するためのエリアを該第１の通信端末へ提供するエリア提供部と、
前記エリアへ前記第１の通信端末がアクセスした際、前記第１の通信端末と前記第２の通信端末との間の売買契約の状態に応じたポイント数のポイントを前記第２の通信端末へ付与するポイント付与部とを有するサーバ。
【請求項６】
請求項５に記載のサーバにおいて、
前記ポイント付与部は、前記売買契約がある場合、前記売買契約がない場合に前記第２の通信端末へ付与するポイント数よりも多いポイント数を前記第２の通信端末へ付与することを特徴とするサーバ。
【請求項７】
請求項５または請求項６に記載のサーバにおいて、
前記第１の通信端末を識別可能な第１の通信端末識別情報と、前記第２の通信端末を識別可能な第２の通信端末識別情報と、該第１の通信端末と該第２の通信端末との間の前記売買契約の状態を示す売買契約状態とを対応付けて記憶するデータベースを有し、
前記ポイント付与部は、前記エリアへ前記第１の通信端末がアクセスした際、該アクセスしてきた第１の通信端末の前記第１の通信端末識別情報と対応付けられている前記第２の通信端末識別情報を前記データベースから検索し、検索された第２の通信端末識別情報の第２の通信端末へ、該検索された第２の通信端末識別情報と対応付けられている前記売買契約状態に応じたポイント数のポイントを付与することを特徴とするサーバ。
【請求項８】
請求項５乃至７のいずれか１項に記載のサーバにおいて、
前記売買契約によって前記第１の通信端末が取得する販売金額情報が示す金額の少なくとも一部の金額を示す金額情報を取得する金額情報取得部を有することを特徴とするサーバ。
【請求項９】
生産者が操作する第１の通信端末と、利用者が操作する第２の通信端末と、サーバとを有する通信システムにおけるサービス提供方法であって、
前記サーバが、前記第１の通信端末が所定の情報を公開するためのエリアを該第１の通信端末へ提供する処理と、
前記サーバが、前記エリアへ前記第１の通信端末がアクセスした際、前記第１の通信端末と前記第２の通信端末との間の売買契約の状態に応じたポイント数のポイントを前記第２の通信端末へ付与する処理と、
前記第２の通信端末が、前記サーバから付与されたポイントを用いて、該サーバが提供するサービスを取得する処理とを行うサービス提供方法。
【請求項１０】
請求項９に記載のサービス提供方法において、
前記サーバが、前記売買契約がある場合、前記売買契約がない場合に前記第２の通信端末へ付与するポイント数よりも多いポイント数を前記第２の通信端末へ付与する処理を行うことを特徴とするサービス提供方法。
【請求項１１】
請求項９または請求項１０に記載のサービス提供方法において、
前記サーバが、前記エリアへ前記第１の通信端末がアクセスした際、該アクセスしてきた第１の通信端末の前記第１の通信端末識別情報と対応付けられている前記第２の通信端末識別情報を、前記第１の通信端末を識別可能な第１の通信端末識別情報と、前記第２の通信端末を識別可能な第２の通信端末識別情報と、該第１の通信端末と該第２の通信端末との間の前記売買契約の状態を示す売買契約状態とを対応付けて記憶するデータベースから検索する処理と、
前記サーバが、前記検索された第２の通信端末識別情報の第２の通信端末へ、該検索された第２の通信端末識別情報と対応付けられている前記売買契約状態に応じたポイント数のポイントを付与する処理とを行うことを特徴とするサービス提供方法。
【請求項１２】
請求項９乃至１１のいずれか１項に記載のサービス提供方法において、
前記サーバが、前記売買契約によって前記第１の通信端末が取得する販売金額情報が示す金額の少なくとも一部の金額を示す金額情報を取得する処理を行うことを特徴とするサービス提供方法。
【請求項１３】
生産者が操作する第１の通信端末および利用者が操作する第２の通信端末と通信可能なサーバに、
前記第１の通信端末が所定の情報を公開するためのエリアを該第１の通信端末へ提供する手順と、
前記エリアへ前記第１の通信端末がアクセスした際、前記第１の通信端末と前記第２の通信端末との間の売買契約の状態に応じたポイント数のポイントを前記第２の通信端末へ付与する手順とを実行させるためのプログラム。
【請求項１４】
請求項１３に記載のプログラムにおいて、
前記売買契約がある場合、前記売買契約がない場合に前記第２の通信端末へ付与するポイント数よりも多いポイント数を前記第２の通信端末へ付与する手順を実行させるためのプログラム。
【請求項１５】
請求項１３または請求項１４に記載のプログラムにおいて、
前記エリアへ前記第１の通信端末がアクセスした際、該アクセスしてきた第１の通信端末の前記第１の通信端末識別情報と対応付けられている前記第２の通信端末識別情報を、前記第１の通信端末を識別可能な第１の通信端末識別情報と、前記第２の通信端末を識別可能な第２の通信端末識別情報と、該第１の通信端末と該第２の通信端末との間の前記売買契約の状態を示す売買契約状態とを対応付けて記憶するデータベースから検索する手順と、
前記検索された第２の通信端末識別情報の第２の通信端末へ、該検索された第２の通信端末識別情報と対応付けられている前記売買契約状態に応じたポイント数のポイントを付与する手順とを実行させるためのプログラム。
【請求項１６】
請求項１３乃至１５のいずれか１項に記載のプログラムにおいて、
前記売買契約によって前記第１の通信端末が取得する販売金額情報が示す金額の少なくとも一部の金額を示す金額情報を取得する手順を実行させるためのプログラム。
【発明の詳細な説明】
【技術分野】
【０００１】
本発明は、サービスを提供する通信システム、サーバ、サービス提供方法およびプログラムに関する。
【背景技術】
【０００２】
近年、利用者が商品やサービス、利益等を取得する際、それらと交換するものとして、お金の代わりとなる「ポイント」という概念が用いられている。このポイントは、実際の商品やサービスの購入の際に、その購入金額等に応じて付与され、後日、商品やサービスの購入に用いられる。また、ポイントは、ゲーム等の仮想的な空間におけるアイテムの取得等にも用いられる。
【０００３】
このように利用される利用者のポイントの消費や移動を、他の利用者が管理する技術が考えられている（例えば、特許文献１参照。）。
【先行技術文献】
【特許文献】
【０００４】
【特許文献１】特開２００８−２８７３０６号公報
【発明の概要】
【発明が解決しようとする課題】
【０００５】
しかしながら、上述した技術においては、利用者が商品やサービスを購入することにより、付与され、当該利用者が利用できるものであり、第三者の利益を導くことはできないという問題点がある。
【０００６】
本発明の目的は、上述した課題を解決する通信システム、サーバ、サービス提供方法およびプログラムを提供することである。
【課題を解決するための手段】
【０００７】
本発明の通信システムは、
生産者が操作する第１の通信端末と、利用者が操作する第２の通信端末と、サーバとを有する通信システムであって、
前記サーバは、前記第１の通信端末が所定の情報を公開するためのエリアを該第１の通信端末へ提供し、該エリアへ前記第１の通信端末がアクセスした際、前記第１の通信端末と前記第２の通信端末との間の売買契約の状態に応じたポイント数のポイントを前記第２の通信端末へ付与し、
前記第２の通信端末は、前記サーバから付与されたポイントを用いて、該サーバが提供するサービスを取得することを特徴とする。
【０００８】
また、本発明のサーバは、
生産者が操作する第１の通信端末および利用者が操作する第２の通信端末と通信可能なサーバであって、
前記第１の通信端末が所定の情報を公開するためのエリアを該第１の通信端末へ提供するエリア提供部と、
前記エリアへ前記第１の通信端末がアクセスした際、前記第１の通信端末と前記第２の通信端末との間の売買契約の状態に応じたポイント数のポイントを前記第２の通信端末へ付与するポイント付与部とを有する。
【０００９】
また、本発明のサービス提供方法は、
生産者が操作する第１の通信端末と、利用者が操作する第２の通信端末と、サーバとを有する通信システムにおけるサービス提供方法であって、
前記サーバが、前記第１の通信端末が所定の情報を公開するためのエリアを該第１の通信端末へ提供する処理と、
前記サーバが、前記エリアへ前記第１の通信端末がアクセスした際、前記第１の通信端末と前記第２の通信端末との間の売買契約の状態に応じたポイント数のポイントを前記第２の通信端末へ付与する処理と、
前記第２の通信端末が、前記サーバから付与されたポイントを用いて、該サーバが提供するサービスを取得する処理とを行う。
【００１０】
また、本発明のプログラムは、
生産者が操作する第１の通信端末および利用者が操作する第２の通信端末と通信可能なサーバに実行させるためのプログラムであって、
前記第１の通信端末が所定の情報を公開するためのエリアを該第１の通信端末へ提供する手順と、
前記エリアへ前記第１の通信端末がアクセスした際、前記第１の通信端末と前記第２の通信端末との間の売買契約の状態に応じたポイント数のポイントを前記第２の通信端末へ付与する手順とを実行させる。
【発明の効果】
【００１１】
以上説明したように、本発明においては、ポイントの付与により、第三者に利益を与えることができる。
【図面の簡単な説明】
【００１２】
【図１】本発明の通信システムの実施の一形態を示す図である。
【図２】図１に示したサーバの内部構成の一例を示す図である。
【図３】図２に示したデータベースに記憶された対応付けの一例を示す図である。
【図４】図２に示したデータベースに記憶された日記データの一例を示す図である。
【図５】図１に示した通信システムにおけるサービス提供方法のうち、図２に示したデータベースに記憶されている対応付けを更新する処理を説明するためのシーケンス図である。
【図６】図１に示した利用者端末に表示された生産者設定画面の一例を示す図である。
【図７】図１に示した通信システムにおけるサービス提供方法のうち、図２に示したデータベースに記憶されている契約有無情報を更新する処理を説明するためのシーケンス図である。
【図８】図１に示した利用者端末に表示された契約設定画面の一例を示す図である。
【図９】図１に示した通信システムにおけるサービス提供方法のうち、利用者端末へポイントを付与する処理を説明するためのシーケンス図である。
【図１０】図１に示した生産者端末に表示された日記更新画面の一例を示す図である。
【図１１】図１に示した利用者端末に表示された日記閲覧画面の一例を示す図である。
【図１２】図１に示した通信システムにおけるサービス提供方法のうち、利用者端末に付与されたポイントを使用する処理を説明するためのシーケンス図である。
【図１３】図１に示した利用者端末に表示されたポイント画面の一例を示す図である。
【発明を実施するための形態】
【００１３】
以下に、本発明の実施の形態について図面を参照して説明する。
【００１４】
図１は、本発明の通信システムの実施の一形態を示す図である。
【００１５】
本形態における通信システムは図１に示すように、サーバ１００と、生産者端末２００と、利用者端末３００とから構成されている。
【００１６】
サーバ１００は、通信ネットワークであるネットワーク４００を介して、生産者端末２００および利用者端末３００と通信が可能な通信装置である。また、サーバ１００は、生産者端末２００が所定の情報を公開するためのエリアを生産者端末２００へ提供する。そのとき、サーバ１００は、エリア提供の対価を生産者端末２００から徴収しても良い。このエリアとは、例えば、ブログ等の日記の書き込みを行うためのエリアであっても良い。この場合、サーバ１００は、当該エリアへ書き込まれた日記の更新を行う。
【００１７】
また、サーバ１００は、提供したエリアへ生産者端末２００がアクセスした際、生産者端末２００と利用者端末３００との間の売買契約の状態を示す売買契約状態に応じたポイント数のポイントを利用者端末３００へ付与する。この売買契約の状態とは、売買契約の有無や、売買契約がある場合その契約のランク（重要度や契約期間等に基づいた分類）を示すものである。
【００１８】
例えば、生産者端末２００が当該エリアへ日記を書き込むと、売買契約状態に応じたポイント数のポイントを利用者端末３００へ付与するものであっても良い。このとき、サーバ１００は、生産者端末２００と利用者端末３００との間に売買契約がある場合、売買契約がない場合に利用者端末３００へ付与するポイント数よりも多いポイント数を利用者端末３００へ付与する。また、サーバ１００は、生産者端末２００と利用者端末３００との間に売買契約の契約期間が１ヶ月である場合、売買契約の契約期間が１週間である場合に利用者端末３００へ付与するポイント数よりも多いポイント数を利用者端末３００へ付与するものであっても良い。つまり、売買契約の期間が長ければ長いほど、契約のランクを高いランクに設定し、ランクが高いほど、付与するポイント数を多くするものであっても良い。これは、重要度をランクに設定する場合にも、同様である。
【００１９】
また、サーバ１００は、生産者端末２００と利用者端末３００との間の売買契約によって生産者端末２００が取得する利益（販売金額等）の少なくとも一部を取得するものであっても良い。
【００２０】
なお、この売買契約とは、例えば、利用者端末３００を操作する利用者が生産者端末２００を操作する生産者へ、売買契約手段（サーバ１００内に設けられていても良いし、他の装置内に設けられていても良い）により、農作物の栽培を委託し、その栽培に相当する金額を支払い、生産者端末２００を操作する生産者が、当該農作物を栽培し、栽培して収穫した農作物を当該利用者へ渡すという契約である。また、上述したように、この売買契約の金額や期間、契約数に応じてあらかじめ定められた契約ランク（プレミアム、ベーシックなど）を設定するものでも良い。
【００２１】
生産者端末２００は、生産者が操作する第１の通信端末である。また、生産者端末２００は、ネットワーク４００を介して、サーバ１００と通信が可能である。
【００２２】
利用者端末３００は、利用者が操作する第２の通信端末である。また、利用者端末３００は、ネットワーク４００を介して、サーバ１００と通信が可能である。また、利用者端末３００は、サーバ１００から付与されたポイントを用いて、サーバ１００が提供するサービスを取得する。
【００２３】
図２は、図１に示したサーバ１００の内部構成の一例を示す図である。
【００２４】
図１に示したサーバ１００には図２に示すように、エリア提供部１１０と、ポイント付与部１２０と、データベース１３０と、金額情報取得部１４０とが設けられている。
【００２５】
エリア提供部１１０は、生産者端末２００が所定の情報を公開するためのエリアを生産者端末２００へ提供する。また、エリア提供部１１０は、生産者端末２００へ提供したエリアを管理し、生産者端末２００が当該エリアへアクセスしたかどうか（例えば、日記の書き込みをしたかどうか）を管理する。また、エリア提供部１１０は、データベース１３０に記憶されている日記データを更新する。
【００２６】
データベース１３０は、生産者端末２００を識別可能な生産者端末識別情報（第１の通信端末識別情報）と、利用者端末３００を識別可能な利用者端末識別情報（第２の通信端末識別情報）と、生産者端末２００と利用者端末３００との間の売買契約の有無や売買契約のランク等を示す売買契約状態とを対応付けて記憶する。
【００２７】
図３は、図２に示したデータベース１３０に記憶された対応付けの一例を示す図である。なお、図３には、売買契約状態として、売買契約の有無を示す契約有無情報が記憶されている場合を例に挙げて示す。
【００２８】
図２に示したデータベース１３０には図３に示すように、生産者端末識別情報と利用者端末識別情報と契約有無情報とが対応付けられて記憶されている。
【００２９】
生産者端末識別情報は、生産者端末２００を識別できるように、生産者端末２００にあらかじめ付与された識別情報である。なお、生産者端末識別情報として、生産者端末２００を識別可能な情報でなく、生産者端末２００を操作する生産者を識別可能な情報（例えば、生産者ごとに付与された生産者ログインＩＤ等、以下、生産者ログインＩＤを用いる場合を例に挙げる）であっても良いことは言うまでもない。つまり、生産者端末２００を複数の生産者が操作する場合、生産者ログインＩＤを生産者端末識別情報として用いる。
【００３０】
利用者端末識別情報は、利用者端末３００を識別できるように、利用者端末３００にあらかじめ付与された識別情報である。なお、利用者端末識別情報として、利用者端末３００を識別可能な情報でなく、利用者端末３００を操作する利用者を識別可能な情報（例えば、利用者ごとに付与された利用者ログインＩＤ等、以下、利用者ログインＩＤを用いる場合を例に挙げる）であっても良いことは言うまでもない。つまり、利用者端末３００を複数の利用者が操作する場合、利用者ログインＩＤを利用者端末識別情報として用いる。
【００３１】
契約有無情報は、生産者端末２００と利用者端末３００との間で、売買契約があるか否かを示す情報である。この契約有無情報は、例えば、１ビットの情報で表すものであっても良い。つまり、契約有無情報が「１」である場合、売買契約があることを示し、契約有無情報が「０」である場合、売買契約がないことを示すものであっても良い。
【００３２】
例えば、図３に示すように、生産者端末識別情報「Ａ０００１」と利用者端末識別情報「ａ１０００」と契約有無情報「有り」とが対応付けられて記憶されている。これは、生産者端末識別情報が「Ａ０００１」である生産者端末は、利用者端末識別情報が「ａ１０００」である利用者端末からファン（ファン生産者）に設定されており、生産者端末識別情報が「Ａ０００１」である生産者端末と、利用者端末識別情報が「ａ１０００」である利用者端末との間には、売買契約があることを示している。
【００３３】
また、生産者端末識別情報「Ａ０００１」と利用者端末識別情報「ｂ２０００」と契約有無情報「有り」とが対応付けられて記憶されている。これは、生産者端末識別情報が「Ａ０００１」である生産者端末は、利用者端末識別情報が「ｂ２０００」である利用者端末からファンに設定されており、生産者端末識別情報が「Ａ０００１」である生産者端末と、利用者端末識別情報が「ｂ２０００」である利用者端末との間には、売買契約があることを示している。
【００３４】
また、生産者端末識別情報「Ａ０００１」と利用者端末識別情報「ｃ３０００」と契約有無情報「無し」とが対応付けられて記憶されている。これは、生産者端末識別情報が「Ａ０００１」である生産者端末は、利用者端末識別情報が「ｃ３０００」である利用者端末からファン（ファン生産者）に設定されているが、生産者端末識別情報が「Ａ０００１」である生産者端末と、利用者端末識別情報が「ｃ３０００」である利用者端末との間には、売買契約がないことを示している。
【００３５】
また、生産者端末識別情報「Ｂ０００１」と利用者端末識別情報「ａ１０００」と契約有無情報「無し」とが対応付けられて記憶されている。これは、生産者端末識別情報が「Ｂ０００１」である生産者端末は、利用者端末識別情報が「ａ１０００」である利用者端末からファン（ファン生産者）に設定されているが、生産者端末識別情報が「Ｂ０００１」である生産者端末と、利用者端末識別情報が「ａ１０００」である利用者端末との間には、売買契約がないことを示している。
【００３６】
また、生産者端末識別情報「Ｂ０００１」と利用者端末識別情報「ｂ２０００」と契約有無情報「有り」とが対応付けられて記憶されている。これは、生産者端末識別情報が「Ｂ０００１」である生産者端末は、利用者端末識別情報が「ｂ２０００」である利用者端末からファン（ファン生産者）に設定されており、生産者端末識別情報が「Ｂ０００１」である生産者端末と、利用者端末識別情報が「ｂ２０００」である利用者端末との間には、売買契約があることを示している。
【００３７】
なお、データベース１３０は、売買契約の有無に替えて、もしくは売買契約の有無と併せて、売買契約の有りのものに売買契約のランクを対応付けて記憶するものであっても良い。
【００３８】
また、データベース１３０は、生産者端末識別情報と、日記の内容とを対応付けて、日記データとして記憶する。
【００３９】
図４は、図２に示したデータベース１３０に記憶された日記データの一例を示す図である。
【００４０】
図２に示したデータベース１３０には図４に示すように、生産者端末識別情報と日記内容とが対応付けられて日記データとして記憶されている。図４には、生産者端末識別情報が「Ａ０００１」の生産者が書いた日記の内容と、生産者端末識別情報が「Ｂ０００１」の生産者が書いた日記の内容とが記憶されている。
【００４１】
また、データベース１３０は、日記の内容だけではなく、公開された日記を閲覧した利用者が書き込んだ（入力した）コメントの内容や、そのコメントに対して生産者が書き込んだ（入力した）返信の内容も日記データに含めて記憶するものであっても良い。
【００４２】
また、データベース１３０は、利用者ごとにポイント数を記憶する。つまり、利用者端末識別情報と、当該利用者端末識別情報の利用者端末に現在付与されているポイント数を対応付けて記憶する。これにより、利用者ごとのポイント数を管理することができる。
【００４３】
ポイント付与部１２０は、提供したエリアへ生産者端末２００がアクセスした際、生産者端末２００と利用者端末３００との間の売買契約状態に応じたポイント数のポイントを利用者端末３００へ付与する。このとき、ポイント付与部１２０は、アクセスしてきた生産者端末２００の生産者端末識別情報と対応付けられている利用者端末識別情報をデータベース１３０から検索する。また、ポイント付与部１２０は、検索された利用者端末識別情報の利用者端末３００へ、検索された利用者端末識別情報と対応付けられている売買契約状態に応じたポイント数のポイントを付与する。また、ポイント付与部１２０は、生産者端末２００と利用者端末３００との間に売買契約がある場合、売買契約がない場合に利用者端末３００へ付与するポイント数よりも多いポイント数を利用者端末３００へ付与する。
【００４４】
また、ポイント付与部１２０は、ポイントが追加された場合や、利用された場合、データベース１３０に記憶されているポイント数の加算や減算を行って、記憶されているポイント数を更新する。
【００４５】
金額情報取得部１４０は、生産者端末２００と利用者端末３００との間の売買契約手段による売買契約によって生産者端末２００が取得する利益の少なくとも一部を取得する。具体的には、金額情報取得部１４０は、売買契約手段による売買契約によって生産者端末２００が取得する販売金額情報が示す金額の少なくとも一部の金額を示す金額情報を取得する。
【００４６】
例えば、売買契約手段が、売買契約の販売金額情報から、あらかじめ定められた比率または金額に基づいて、生産者端末２００へ送信する金額情報と金額情報取得部１４０へ送信する金額情報とを算出し、算出された各金額情報をそれぞれ生産者端末２００と利益取得部１４０とへ送信することで、金額情報取得部１４０が送信されてきた金額情報を取得するものであっても良い。また、売買契約手段が、売買契約の販売金額情報を金額情報取得部１４０へ送信し、金額情報取得部１４０が、送信されてきた販売金額情報からあらかじめ定められた比率または金額に基づいて、サーバ１００の運用者が得る金額情報を算出し、算出された金額情報を取得するものであっても良い。
【００４７】
以下に、図１に示した形態におけるサービス提供方法について説明する。以下、生産者端末識別情報として、生産者ログインＩＤとなる生産者識別情報を、また、利用者端末識別情報として、利用者ログインＩＤとなる利用者識別情報を用いる場合を例に挙げて説明する。
【００４８】
まずは、図１に示した通信システムにおけるサービス提供方法のうち、図２に示したデータベース１３０に記憶されている、生産者端末識別情報と利用者端末識別情報との対応付けを更新する処理について説明する。
【００４９】
図５は、図１に示した通信システムにおけるサービス提供方法のうち、図２に示したデータベース１３０に記憶されている、生産者端末識別情報と利用者端末識別情報との対応付けを更新する処理を説明するためのシーケンス図である。
【００５０】
まず、利用者による所定の操作に基づいて、利用者端末３００からサーバ１００へ、生産者設定画面が要求される（ステップＳ１）。このとき、利用者識別情報が利用者端末３００からサーバ１００へ送信される。
【００５１】
利用者端末３００から生産者設定画面が要求されると、送信されてきた利用者識別情報がポイント付与部１２０によってデータベース１３０から検索され、検索された利用者識別情報と対応付けられている生産者識別情報および売買契約状態が検索される（ステップＳ２）。
【００５２】
すると、検索された利用者識別情報と、生産者識別情報と、売買契約状態とに基づいて、ポイント付与部１２０によって生産者設定画面が生成され、生成された生産者設定画面がポイント付与部１２０から利用者端末３００へ送信される（ステップＳ３）。
【００５３】
続いて、サーバ１００から送信されてきた生産者設定画面が、利用者端末３００にて表示される（ステップＳ４）。
【００５４】
図６は、図１に示した利用者端末３００に表示された生産者設定画面の一例を示す図である。ここでは、利用者端末３００を操作する利用者の利用者識別情報が「ａ１０００」である場合を例に挙げて説明する。
【００５５】
図１に示した利用者端末３００には図６に示すように、利用者識別情報が「ａ１０００」である利用者の生産者設定画面（ファン設定画面）が、当該利用者が操作する利用者端末３００に表示される。
【００５６】
表示される生産者設定画面には、現在、ファンとなっている生産者の生産者識別情報が表示され、それらを削除するための削除ボタンが表示される。また、ファン生産者を追加したい場合に、追加するファン生産者の生産者識別情報を入力するための記入欄および追加ボタンが表示される。また、表示されるファン生産者の生産者識別情報には、売買契約（ここでは、栽培契約）があるかどうかについても表示される。また、生産者の一覧を表示させる一覧ボタンや、生産者を検索する検索ボタンも表示される。
【００５７】
生産者の一覧を表示させる一覧ボタンを選択し、表示された一覧の中から、生産者（生産者識別情報）を選択したり、生産者識別情報や、生産者が生産する生産物等のキーワードを入力して検索ボタンを選択したりすることで、所望の生産者を検索することができる。追加ボタンを選択することで、検索された中から生産者（生産者識別情報）を選択し、そのまま追加することができる。
【００５８】
表示された生産者設定画面に、利用者によって情報が入力されると（ステップＳ５）、入力された情報が利用者端末３００からサーバ１００へ送信される（ステップＳ６）。
【００５９】
すると、利用者端末３００から送信されてきた情報が、ポイント付与部１２０によってデータベース１３０に登録される（ステップＳ７）。つまり、利用者端末３００から送信されてきた情報に基づいて、データベース１３０に記憶されている、利用者識別情報と生産者識別情報との対応付けが更新される。
【００６０】
例えば、生産者設定画面にて、「Ａ０００１」のファン生産者の削除の入力が行われると、データベース１３０に記憶されている利用者識別情報「ａ１０００」の対応付けの中から、生産者識別情報「Ａ０００１」が削除される。また、生産者設定画面にて、ファン生産者の追加の入力が行われると、データベース１３０に記憶されている利用者識別情報「ａ１０００」の対応付けに、当該追加された生産者識別情報が追加される。
【００６１】
次に、図１に示した通信システムにおけるサービス提供方法のうち、図２に示したデータベース１３０に記憶されている契約有無情報を更新する処理について説明する。
【００６２】
図７は、図１に示した通信システムにおけるサービス提供方法のうち、図２に示したデータベース１３０に記憶されている契約有無情報を更新する処理を説明するためのシーケンス図である。ここでは、契約内容が、農作物を栽培する栽培契約である場合を例に挙げて説明する。
【００６３】
まず、利用者による所定の操作に基づいて、利用者端末３００からサーバ１００へ、契約設定画面が要求される（ステップＳ１１）。このとき、利用者識別情報が利用者端末３００からサーバ１００へ送信される。
【００６４】
利用者端末３００から契約設定画面が要求されると、送信されてきた利用者識別情報がポイント付与部１２０によってデータベース１３０から検索され、検索された利用者識別情報と対応付けられている生産者識別情報および契約有無情報が検索される（ステップＳ１２）。
【００６５】
すると、検索された利用者識別情報と、生産者識別情報と、契約有無情報とに基づいて、ポイント付与部１２０によって契約設定画面が生成され、生成された契約設定画面がポイント付与部１２０から利用者端末３００へ送信される（ステップＳ１３）。
【００６６】
続いて、サーバ１００から送信されてきた契約設定画面が、利用者端末３００にて表示される（ステップＳ１４）。
【００６７】
図８は、図１に示した利用者端末３００に表示された契約設定画面の一例を示す図である。ここでは、利用者端末３００を操作する利用者の利用者識別情報が「ａ１０００」である場合を例に挙げて説明する。
【００６８】
図１に示した利用者端末３００には図８に示すように、利用者識別情報が「ａ１０００」である利用者のファン生産者が栽培契約をしているか否かを示す契約設定画面が、当該利用者が操作する利用者端末３００に表示される。
【００６９】
表示される契約設定画面には、現在、ファンとなっている生産者の生産者識別情報が、利用者識別情報が「ａ１０００」である利用者との間で、栽培契約をしているか否か（契約が有るか無いか）とともに表示される。また、栽培契約がある場合、その契約を解除するために選択できる契約解除ボタンが表示される。また、栽培契約がない場合、契約を設定するために選択できる契約設定ボタンが表示される。
【００７０】
また、契約設定ボタンが選択されると、売買契約手段により、栽培する作物の種類（例えば、野菜等）や、その数量を設定するための画面が表示されるものであっても良い。
【００７１】
表示された契約設定画面に、利用者によって情報が入力されると（ステップＳ１５）、入力された情報が利用者端末３００からサーバ１００へ送信される（ステップＳ１６）。
【００７２】
すると、利用者端末３００から送信されてきた情報が、ポイント付与部１２０によってデータベース１３０に登録される（ステップＳ１７）。つまり、利用者端末３００から送信されてきた情報に基づいて、データベース１３０に記憶されている契約有無情報が更新される。
【００７３】
例えば、契約設定画面にて、「Ａ０００１」の契約解除ボタンが選択されると、データベース１３０に記憶されている生産者識別情報「Ａ０００１」と利用者識別情報「ａ１０００」と対応付けられている契約有無情報が、「有り」から「無し」へ更新される。また、契約設定画面にて、「Ｂ０００１」の契約設定ボタンが選択され、売買契約手段により売買契約が結ばれ、生産者識別情報「Ｂ０００１」と利用者識別情報「ａ１０００」とが売買契約した旨を示す情報を売買契約手段から受信すると、データベース１３０に記憶されている生産者識別情報「Ｂ０００１」と利用者識別情報「ａ１０００」と対応付けられている契約有無情報が、「無し」から「有り」へ更新される。
【００７４】
また、売買契約状態のうち、契約のランクを更新する場合も、上述した契約有無情報の更新と同様の処理で更新を行うもので良い。
【００７５】
次に、図１に示した通信システムにおけるサービス提供方法のうち、利用者端末３００へポイントを付与する処理について説明する。
【００７６】
図９は、図１に示した通信システムにおけるサービス提供方法のうち、利用者端末３００へポイントを付与する処理を説明するためのシーケンス図である。
【００７７】
まず、サーバ１００にて生産者端末２００から送信されてきた生産者識別情報やパスワードを用いて生産者の認証が行われた後、生産者識別情報を指定して日記更新画面の要求が生産者端末２００からサーバ１００へ行われると（ステップＳ２１）、サーバ１００のエリア提供部１１０によって、当該生産者識別情報に基づいて、その生産者識別情報と対応付けられてデータベース１３０に記憶されている日記内容がエリア提供部１１０によって検索される（ステップＳ２２）。
【００７８】
そして、当該生産者識別情報と検索された日記内容とから構成される日記データに基づいて、日記更新画面がエリア提供部１１０によって生成され、生成された日記更新画面がエリア提供部１１０から生産者端末２００へ送信される（ステップＳ２３）。
【００７９】
すると、エリア提供部１１０から送信されてきた日記更新画面が、生産者端末２００にて表示される（ステップＳ２４）。
【００８０】
図１０は、図１に示した生産者端末２００に表示された日記更新画面の一例を示す図である。ここでは、生産者識別情報が「Ａ０００１」である生産者の日記更新画面を例に挙げて示す。
【００８１】
図１に示した生産者端末２００には図１０に示すように、追加する日記の内容を書き込むための欄と、過去の日記の内容と、日記に対して書き込まれたコメントの内容と、コメントへの返信の内容を書き込むための欄とを含む日記更新画面が表示される。
【００８２】
その後、日記の内容を書き込むための欄に、内容が入力され（書き込まれ）、登録ボタンが選択されると（ステップＳ２５）、入力された内容が生産者識別情報と入力日時を示す入力日時情報とともに、生産者端末２００からサーバ１００へ送信される（ステップＳ２６）。
【００８３】
生産者端末２００から送信された内容がサーバ１００のエリア提供部１１０にて受信されると、内容とともに送信されてきた生産者識別情報がエリア提供部１１０によってデータベース１３０の日記データから検索され、検索された生産者識別情報と対応付けられている日記内容に、送信されてきた内容が追加されて、当該日記データが更新される（ステップＳ２７）。
【００８４】
また、このとき、日記データが更新された旨と生産者端末２００から送信されてきた生産者識別情報とが、エリア提供部１１０からポイント付与部１２０へ通知される。
【００８５】
すると、ポイント付与部１２０にて、当該生産者識別情報と対応付けられている利用者識別情報および売買契約状態がデータベース１３０から読み出される。そして、読み出された売買契約状態に基づいて、利用者識別情報の利用者（利用者端末３００）へ付与するポイント数が、ポイント付与部１２０によって決定される（ステップＳ２８）。
【００８６】
このとき、売買契約状態が「契約有り」の利用者へ付与するポイント数は、売買契約状態が「契約無し」の利用者へ付与するポイント数よりも多いポイント数に決定する。例えば、売買契約状態が「契約無し」の利用者へ付与するポイント数が「１ポイント」である場合、売買契約状態が「契約有り」の利用者へ付与するポイント数は「２ポイント」に決定する。
【００８７】
ポイント数が決定されると、決定されたポイント数のポイントがポイント付与部１２０から、該当する利用者端末３００へ付与される（ステップＳ２９）。実際には、データベース１３０に当該利用者端末識別情報と対応付けられて記憶されているポイント数に、決定されたポイント数が加算される。
【００８８】
また、図１０に示した日記更新画面にて、コメントへの返信が入力された場合、当該コメントを入力した利用者端末３００へ、その返信内容が送信されるものであっても良い。
【００８９】
また、日記に対して利用者がコメントを入力した場合、その利用者へ所定のポイント数のポイントが付与されるものであっても良い。
【００９０】
また、利用者端末３００による生産者の日記の閲覧方法は、一般的なブログ等の閲覧と同じで良い。以下に、１つの例を挙げて説明する。
【００９１】
サーバ１００にて利用者端末３００から送信されてきた利用者識別情報やパスワードを用いて利用者の認証が行われた後、閲覧する日記を書いている生産者の生産者識別情報を指定して日記の閲覧要求が利用者端末３００からサーバ１００へ行われると、当該生産者識別情報と対応付けてデータベース１３０に記憶されている日記データが読み出される。
【００９２】
続いて、データベース１３０から読み出された日記データに基づいて、日記閲覧画面が生成され、生成された日記閲覧画面が、サーバ１００から利用者端末３００へ送信される。
【００９３】
サーバ１００から送信された日記閲覧画面が利用者端末３００にて受信されると、受信した日記閲覧画面が利用者端末３００にて表示される。
【００９４】
図１１は、図１に示した利用者端末３００に表示された日記閲覧画面の一例を示す図である。ここでは、生産者識別情報が「Ａ０００１」である生産者の日記の閲覧を行った場合を例に挙げて示す。
【００９５】
図１に示した利用者端末３００には図１１に示すように、生産者識別情報と、日記の内容と、日記に対してコメントを書き込むためのコメント記入欄とを含む日記閲覧画面が表示される。
【００９６】
その後、コメント記入欄にコメントが書き込まれ（入力され）、登録ボタンが選択されると、当該利用者識別情報と、当該生産者識別情報と、入力されたコメントとが、利用者端末３００からサーバ１００へ送信される。
【００９７】
すると、利用者端末３００から送信されてきた生産者識別情報と対応付けられてデータベース１３０に記憶されている日記データに、利用者端末３００から送信されてきた利用者識別情報とコメントとが記憶される。
【００９８】
次に、利用者端末３００に付与されたポイントを使用する処理について説明する。
【００９９】
図１２は、図１に示した通信システムにおけるサービス提供方法のうち、利用者端末３００に付与されたポイントを使用する処理を説明するためのシーケンス図である。
【０１００】
まず、サーバ１００にて利用者端末３００から送信されてきた利用者識別情報やパスワードを用いて利用者の認証が行われた後、利用者識別情報を指定して利用者に付与されているポイントを表示するポイント画面の要求が利用者端末３００からサーバ１００へ行われると（ステップＳ３１）、当該利用者識別情報と対応付けてデータベース１３０に記憶されているポイント数がサーバ１００にて検索される（ステップＳ３２）。
【０１０１】
すると、検索されたポイント数に基づいて、ポイント画面が生成され、生成されたポイント画面がサーバ１００から利用者端末３００へ送信される（ステップＳ３３）。
【０１０２】
サーバ１００から送信されたポイント画面が利用者端末３００にて受信されると、受信したポイント画面が利用者端末３００に表示される（ステップＳ３４）。
【０１０３】
図１３は、図１に示した利用者端末３００に表示されたポイント画面の一例を示す図である。ここでは、利用者識別情報が「ａ１０００」である利用者のポイント数を表示するポイント画面例に挙げて示す。
【０１０４】
図１に示した利用者端末３００には図１３に示すように、利用者識別情報と、当該利用者に現在付与されているポイント数とを含むポイント画面が表示される。また、ポイント画面には、ポイントを購入する場合に選択するためのポイント購入ボタンと、ポイントを利用する場合に選択するためのポイント利用ボタンとが表示される。
【０１０５】
ポイント購入ボタンが選択されると、購入するポイント数を入力するための画面が表示される。また、ポイント利用ボタンが選択されると、ポイントの利用先、ポイントと引き換えるサービス（アイテム）や数量を入力するための画面が表示される。これらの表示や、入力後の処理は、一般的なものと同様なもので良く、ここでは、特に規定しない。以下に、一例として、あるアイテムとポイントとを交換する場合を挙げて説明する。
【０１０６】
交換するアイテムおよびその数量が利用者端末３００に入力されると（ステップＳ３５）、当該アイテムの要求が利用者端末３００からサーバ１００へ行われる（ステップＳ３６）。
【０１０７】
すると、ポイント付与部１２０によって、要求されたアイテムと交換するポイント数が、データベース１３０に記憶されている利用者識別情報と対応付けられたポイント数から減算される（ステップＳ３７）。
【０１０８】
そして、当該アイテムが、サーバ１００から利用者端末３００へ送信される（ステップＳ３８）。
【０１０９】
本発明においては、利用者端末３００の利用者は、多くのアイテムを取得するために、多くのポイントを取得したいと考え、ポイントを増やすために、サーバ１００へのアクセス頻度の高い生産者端末２００と契約を行う。一方、生産者端末２００は、利用者端末３００との間で契約を行えば、生産者端末２００の生産者の利益が増える。このように、相互に利益を獲得することができる。また、当該契約によって生産者端末２００が得た販売金額情報が示す金額の少なくとも一部の金額を示す金額情報をサーバ１００（金額情報取得部１４０）が取得する。そして、その金額情報に基づいて、金融機関やカード会社から振り込まれる販売金額を生産者との間で分配することで、サーバ１００を運用する側にも利益が発生する。
【０１１０】
上述したサーバ１００に設けられた各構成要素が行う処理は、目的に応じてそれぞれ作製された論理回路で行うようにしても良い。また、処理内容を手順として記述したコンピュータプログラム（以下、プログラムと称する）をサーバ１００にて読取可能な記録媒体に記録し、この記録媒体に記録されたプログラムをサーバ１００に読み込ませ、実行するものであっても良い。サーバ１００にて読取可能な記録媒体とは、フロッピー（登録商標）ディスク、光磁気ディスク、ＤＶＤ、ＣＤなどの移設可能な記録媒体の他、サーバ１００に内蔵されたＲＯＭ、ＲＡＭ等のメモリやＨＤＤ等を指す。この記録媒体に記録されたプログラムは、サーバ１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【０１１１】
１００    サーバ
１１０    エリア提供部
１２０    ポイント付与部
１３０    データベース
１４０    金額情報取得部
２００    生産者端末
３００    利用者端末
４００    ネットワーク
【図１】
0005339477.tif 000002
【図２】
0005339477.tif 000003
【図３】
0005339477.tif 000004
【図４】
0005339477.tif 000005
【図５】
0005339477.tif 000006
【図６】
0005339477.tif 000007
【図７】
0005339477.tif 000008
【図８】
0005339477.tif 000009
【図９】
0005339477.tif 000010
【図１０】
0005339477.tif 000011
【図１１】
0005339477.tif 000012
【図１２】
0005339477.tif 000013
【図１３】
0005339477.tif 000014